(57)【要約】【課題】装着時の違和感が殆ど無く且つ咀嚼時の安定性に優れた有床部分義歯を提供する。【解決手段】義歯床3は、人工歯2に関連した義歯床本体3aと、隣接する維持歯4を支持する歯肉部分5まで横方向に延びる横延長部分3bとを有し、また、この横延長部分3bは、維持歯4の側面の基部に位置するアンダーカット部分4aに対応する部分まで上方に延びる縦延長部分3cと、この縦延長部分3cに設けられた弾性部材（シリコンゴム）6を有し、このシリコンゴム6は、アンダーカット部分4aの外形輪郭と相補的な形状に加圧成形されている。このシリコンゴム6はアンダーカット部分4aと係合して従来の金属製のクラスプと実質的に同じ機能を奏する。【選択図】図5
2007289645.tif 000002
【特許請求の範囲】
【請求項１】
義歯を支持する義歯床を備え、歯を失った歯肉部分に脱着可能に装着する有床部分義歯であって、
人工歯を支持する義歯床本体と、
前記人工歯に隣接する維持歯の歯肉部分まで延びる外側延長部分及び舌側延長部分と、
該外側延長部分及び／又は前記舌側延長部分に設けられ且つ前記維持歯のアンダーカット部分と係合する弾性部材とを有することを特徴とする有床部分義歯。
【請求項２】
前記外側延長部分及び前記舌側延長部分が樹脂から作られている、請求項１に記載の有床部分義歯。
【請求項３】
前記外側延長部分及び前記舌側延長部分の少なくともいずれか一方が金属から作られている、請求項１に記載の有床部分義歯。
【請求項４】
前記舌側縦延長部分が前記維持歯のアンダーカット部分よりも高く且つ該維持歯の高さよりも小さい高さ寸法を有する、請求項２又は３に記載の有床部分義歯。
【請求項５】
少なくとも前記舌側横延長部分が、隣接する複数本の維持歯の歯列に沿って横方向に延びる長さ寸法を有する、請求項２〜４のいずれか一項に記載の有床部分義歯。
【請求項６】
前記舌側横延長部分の横方向長さが前記外側延長部分の横方向長さよりも長い、請求項５に記載の有床部分義歯。
【請求項７】
前記舌側横延長部分に設けられた弾性部材が、前記複数本の維持歯のアンダーカット部分及び隣接する維持歯間の隙間と相補的な形状に成形されている、請求項４に記載の有床部分義歯。
【請求項８】
前記弾性部材がシリコンゴムからなる、請求項１〜７のいずれか一項に記載の有床部分義歯。
【発明の詳細な説明】
【技術分野】
【０００１】
本発明は有床部分義歯つまり脱着式の部分義歯に関する。
【背景技術】
【０００２】
部分的に永久歯を失った処置として、永久歯を失った欠如部に部分義歯の装着が広く行われている。部分義歯は、一般的には、義歯床と、この義歯床に固設した人工歯（義歯）と、残存歯（維持歯）に固定するためのバネ（クラスプ）とで構成されており、クラスプはキャストクラスプとワイヤクラスプが多用されている。
【０００３】
このバネ式の部分義歯は、金属製のクラスプを備えているため重くなる傾向にあるだけでなく、維持歯のアンダーカット部分つまり維持歯と歯肉との境界部分に係合したクラスプが外側から見えてしまうため見栄えが悪いという問題の他に、食事をしているときの安定性に欠けるなどの問題が指摘されている。
【０００４】
特許文献１は、従来一般的に採用されているクラスプの代わりに維持歯のアンダーカット部分に義歯床の縁部を機械的に係合させる部分義歯を提案している。具体的には、特許文献１の部分義歯は、義歯床の正面部分（前側部分）と背面部分（舌側部分）とに、維持歯のアンダーカット部分と相補的な輪郭を備えた突片部を設け、この突片部を維持歯のアンダーカット部分と係合させる構造を採用している。そして、正面部分の突片部をヒンジを介して維持床に取り付けて、この正面部分の突片部を水平軸回りに回動可能にし、これにより部分義歯を装着又は取り外す際に、正面部分の突片部を開放することで、この正面部分及び背面部分の突片部と維持歯との係合を解除するようになっている。更に、装着時に正面部分の突片部が不用意に開放しないようにマグネットを設け、このマグネットによって正面部分の突片部が維持歯のアンダーカット部分と係合した状態に維持する構成が採用されている。
【０００５】
【特許文献１】特開２００４−２５４９１１号公報
【発明の開示】
【発明が解決しようとする課題】
【０００６】
特許文献１の部分義歯は、クラスプ無しであるため外観上の見栄えを改善することができるものの、正面部分の突片部を水平軸回りに回動させるためのヒンジや、この突片部を固定するためのマグネットが必要であることから構造が複雑であるだけでなく、義歯床の当該部分が肉厚になる傾向があり、このことは部分義歯を使用する者は違和感を感じてしまう。
【０００７】
本発明の目的は、構造が簡単なクラスプ無しの有床部分義歯を提供することにある。
【０００８】
本発明の更なる目的は装着時の違和感が殆ど無い有床部分義歯を提供することにある。
【０００９】
本発明の更なる目的は咀嚼時の安定性に優れた有床部分義歯を提供することにある。
【課題を解決するための手段】
【００１０】
上記の技術的課題は、本発明によれば、
義歯を支持する義歯床を備え、歯を失った歯肉部分に脱着可能に装着する有床部分義歯であって、
前記人工歯を支持する義歯床本体と、
前記人工歯に隣接する維持歯の歯肉部分まで延びる外側延長部分及び舌側延長部分と、
該外側延長部分及び／又は前記舌側延長部分に設けられ且つ前記維持歯のアンダーカット部分と係合する弾性部材とを有することを特徴とする有床部分義歯を提供することにより達成される。
【００１１】
本発明は、維持歯のアンダーカット部分と係合する弾性部材を介して該維持歯と係合させるようになっているため構造が簡単であり、また、弾性部材がクッション材として機能するため装着時の違和感が殆ど無く且つ咀嚼時の安定性に優れている、という利点を有する。弾性部材は、典型的には、シリコンゴムのようなクッション性を備えた樹脂性の部材で構成され、この弾性部材は、維持歯のアンダーカット部分と相補的な形状に成形される。
【００１２】
本発明の他の目的及び詳しい作用効果は以下の詳細な説明から明らかになろう。
【発明を実施するための最良の形態】
【００１３】
以下に、添付の図面に基づいて本発明の概要を説明した後に具体例を説明する。
【００１４】
図１〜図８は本発明の概要を説明するための図である。図１は、両隣りの２本の永久歯を欠如した部分に実施例の有床部分義歯を装着した例を示す部分正面図であり、図２は、舌側から見た背面図である。また、図３は、図１のIII−III線に沿った断面図であり、図４は、図１のIV−IV線に沿った断面図であり、図５は、図４の矢印Ｖで示す部分の拡大断面図である。
【００１５】
図１〜図５を参照して、参照符号１は有床部分義歯を示し、有床部分義歯１は、人工歯２と、人工歯２を支持する義歯床３とを含み、この有床部分義歯１を装着した部分の隣りには残存歯４が配列している。図面では、人工歯２と残存歯４とを区別するために、人工歯２には斜線を入れて図示してある。
【００１６】
義歯床３は、従来と同様にレジンで構成されており、人工歯２に関連した義歯床本体３ａと、その隣りに位置する残存歯（維持歯）４を支持する歯肉部分５まで横方向に延びる横延長部分３ｂとを有し、また、この横延長部分３ｂは、維持歯４の側面に位置するアンダーカット部分４ａつまり維持歯４の基部の側面を形成する部分まで上方に延びる縦延長部分３ｃを有する。なお、図９及び図１０では、歯の前面側及び背面側（舌側）の双方が維持歯４の幅方向に亘って維持歯４の高さ方向に維持歯４の基部を覆うように作られているが、これは単なる例示であり、図９において、維持歯４の正面に対応する縦延長部分３ｃは、維持歯４の幅方向中央部分を切り欠いて残存歯４の維持歯４の基部を外部に露出するようにしてもよい。
【００１７】
有床部分義歯１は、更に、維持歯４のアンダーカット部分４ａと縦延長部分３ｃとの間に位置する弾性部材６を有し、この弾性部材６はアンダーカット部分４ａの外形輪郭と相補的な形状に成形されている。弾性部材６としてシリコンゴムのような軟質樹脂が好適に使用可能である。
【００１８】
上述した有床部分義歯１を作るには次のようにすればよい。先ず、歯科医院で作成する模型に含まれる残存歯のうち、有床部分義歯１の保持に用いるのに都合の良い維持歯の側面に位置するアンダーカット部分をワックスで埋めて作業模型を作成する。軟化させた義歯床部材を作業模型にプレスして義歯床を作る。これにより義歯床には、その側面の下端部の上述したアンダーカット部分４ａに相当する部分に空間が生成されることになるが、この空間にシリコンゴムのような軟質樹脂を充填し、次いで加圧して成形することで軟質樹脂を、対象とするアンダーカット部分４ａと相補的な形状に成形することができる。
【００１９】
上述した有床部分義歯１によれば、維持歯４の側面に位置するアンダーカット部分４ａに弾性部材６を介して有床部分義歯１を係合させるようにしてあるため、ワイヤクラスプやキャストクラスプ無しで有床部分義歯１を保持することができるだけでなく、咀嚼の際に、有床部分義歯１を担う維持歯４への荷重を弾性部材６によって緩和することができる。
【００２０】
また、有床部分義歯１の装着や取り外しの際には弾性部材６が変形することから、前述した特許文献１のような特別な機構を設ける必要はない。
【００２１】
アンダーカット部分４ａが弾性部材６で埋まった状態にあるため、このアンダーカット部分４ａに食物残渣が侵入するのを防止することができ、これにより口内の衛生状態を保つことができるだけでなく毎食後に有床部分義歯１を取り外して、これを水洗いしたり、口を濯ぐ必要性を低減することができる。
【００２２】
上述の説明では、隣り合う２本の永久歯を失った欠如部に装着するための有床部分義歯１を例示的に説明したが、１本の歯を失った欠如部に装着する有床部分義歯に対しても同様に適用可能であり、欠如部の歯の本数に制限されない。
【００２３】
また、有床部分義歯１の荷重を担わせる維持歯４のアンダーカット部分４ａ（シリコンゴム６を設置する部分）は、これに相応しいアンダーカット部分を選定すればよく、また、アンダーカット部分を含む隣接する維持歯間の隙間を含んでいてもよい。
【００２４】
図６〜図８は具体例の一例を示す。これら図６〜図８に示す有床部分義歯１は、下顎の右側に位置する互いに隣接する奥歯３本に代わる有床部分義歯１０を示す。図６は、上方から見た図であり、図７は、舌側から見た図であり、図８は、下方から見た図である。
【００２５】
図６〜図８を参照して、有床部分義歯１０は、３本の人工歯１１〜１３と、この３本の人工歯１１〜１３を配列した樹脂製の義歯床１４とを有する。義歯床１４は、３本の人工歯１１〜１３を支持する義歯床本体１４ａと、義歯床本体１４ａから残存歯の列（図示せず）の方向に歯肉部分の外側及び舌側に沿って延びる外側横延長部分１５及び舌側横延長部分１６とを有する。
【００２６】
図面から分かるように外側横延長部分１５は舌側横延長部分１６に比べて短い。換言すれば、外側横延長部分１５が２本の維持歯に相当する長さであるのに対して、舌側横延長部分１６は４本の維持歯に相当する長さを有している。
【００２７】
外側横延長部分１５は、２本の維持歯の歯茎から露出した基部（アンダーカット部分）に対応する高さ寸法の外側縦延長部分１５ａを有し、この外側縦延長部分１５ａは、２本の維持歯の前面に隣接して位置して、外側横延長部分１５の横方向の延び方向（歯列の並び方向）に連続している。他方、舌側横延長部分１６は、４本の残存歯の高さよりも僅かに低いレベルまで縦方向に延びる舌側縦延長部分１６ａを有し、この舌側縦延長部分１６ａは、４本の維持歯の背面に隣接して位置して、横方向の延び方向（（歯列の並び方向）に連続している。すなわち、舌側縦延長部分１６ａは、４本の維持歯の背面のほぼ全域を覆う高さ寸法を有し且つ４本の維持歯の歯列に沿って連続して延びている。
【００２８】
図６〜図８に示す参照符号１７は、義歯床１４の内面に付設された、前述した弾性部材６に相当する軟質樹脂（典型的にはシリコンゴム）である。このシリコンゴム１７は、前述した維持歯４のアンダーカット部分４ａだけでなく、隣接する維持歯間の隙間を含めた部分など維持歯４と相補的な形状に加圧成形されている。
【００２９】
この有床部分義歯１０は部分義歯として最も難しいとされる複数本の奥歯であるにも関わらず、歯肉との密着性を含めた装着感に優れていて違和感が殆ど無いだけでなく、食事をしても永久歯で噛んでいるのと同じ感触であり且つ安定していた。また、従来のキャストクラスプ式の有床部分義歯では食事の後に、有床部分義歯を取り外して有床部分義歯を水洗いすると共に口を濯ぐ必要があったが、この有床部分義歯１０では食物残渣の侵入が殆ど無いため、食事毎に取り外す必要も無かった。
【００３０】
図９以降の図面は、装着感に優れた部分義歯の製造に関するものであり、また、舌側延長部が金属製の部分義歯に関する実施例を示す。
【００３１】
図９を参照して、部分義歯１００は、従来と同様に合成樹脂製の義歯床（咬合床）１０１を有し、この義歯床１０１に人工歯１０２が植設されている。義歯床１０１は、後の説明から分かるように、ワックス義歯の義歯粘膜床をそのまま使って、これにレジンを積層することにより作られており、このレジンによって人工歯１０２が固定されている。
【００３２】
部分義歯１００は、これに隣接する1本又は複数本の残存歯１０３（維持歯）（図１０）まで延びる延長部分１０４を有し、この延長部分１０４は、外側延長部分１０４Ａと舌側延長部分１０４Ｂを含む。外側延長部分１０４Ａ及び舌側延長部分１０４Ｂは、部分義歯１００を適用する患者の歯茎１０５（図１０）を挟んで、その外側及び舌側に位置し、これらの延長部分１０４Ａ、１０４Ｂは、共に、その内側面つまり患者の歯茎１０５に当接する粘膜面は患者の歯茎１０５に吸着した状態となるのが好ましい。
【００３３】
外側及び舌側の延長部分１０４Ａ、１０４Ｂは、その両方であってもよいが、この実施例では、舌側延長部１０４Ａが金属で作られている。両方の延長部分１０４Ａ及び／又は１０４Ｂを合成樹脂で作る場合には、典型的には、後に詳しく説明する義歯粘膜床によって構成される。延長部分１０４Ａ、１０４Ｂには、その少なくとも一方に、最も好ましくは双方に、維持歯１０３のアンダーカット部分１０３ａ（図１１）と相補的な形状に成形された弾性部材１０６（典型的にはシリコンゴム）が設けられる。
【００３４】
このシリコンゴム１０６は、前述したように、維持歯１０３のアンダーカット部分１０３ａと係合する従来の金属製バネ（クラスプ）に代わるものである。勿論、内外の延長部分１０４Ａ、１０４Ｂの双方又はいずれか一方を金属で作った場合、例えば外側延長部分１０４Ａを合成樹脂で作り、舌側延長部分１０４Ｂを金属で作った場合であっても、外側延長部分１０４Ａにシリコンゴム１０６を添設すると共に金属製の舌側延長部分１０４Ｂにシリコンゴム１０６を添設するのがよく、この双方のシリコンゴム１０６で１本又は複数本の維持歯１０３のアンダーカット部分１０３ａ（図１１）と係合させるようにするのが好ましい。
【００３５】
なお、図示の例では、上述したように、外側延長部分１０４Ａが合成樹脂で構成され、他方、舌側延長部分１０４Ｂは、成形された金属で構成されている。そして、合成樹脂製の外側延長部分１０４Ａにはシリコンゴム１０６が設けられているが、金属製の舌側延長部分１０４Ｂは維持歯１０３の外形輪郭に沿って成形されており、この金属製の舌側延長部分１０４Ｂにはシリコンゴム１０６は設けられていない。しかし、この金属製の舌側延長部分１０４Ｂに、外側延長部分１０４Ａと同様に、アンダーカット部分１０３ａと係合する弾性部材（シリコンゴム）１０６を設けてもよいことは言うまでもない。
【００３６】
図１２は、実施例の義歯製造方法の概要を示すフロー図である。この図１２を参照して、ステップＳ１０及びＳ１１は、通常、歯科医院で行う作業である。歯科医院では、従来と同様に、歯科用歯形トレイに設置した印象材を使って患者の口腔を転写し、この印象材に石膏などを流し込んで顎模型（本模型）を作る（Ｓ１０）。この顎模型は患者の口腔のコピーであり、この顎模型を技工所に送る（Ｓ１１）。
【００３７】
図１２のステップＳ１２以降の工程は、一般的に技工所で行う作業であり、技巧所内で技工士が行う作業のうち、ステップＳ１２〜Ｓ１４の工程は、歯科医院から入手した顎模型（本模型）をコピーした作業模型を作る工程である。この作業模型を作るか否かは任意である。
【００３８】
前述したシリコンゴム１０６を備えた部分義歯１００（図９）を作る場合には、図１３に示すように、歯科医院から入手した顎模型（本模型１）の維持歯１０３のアンダーカット部分にワックス１２を盛り（図１２のステップＳ１２：図１３）、このワックス１２を付着した本模型１から作業模型が作られる。本模型１の維持歯１０３のアンダーカット部分１０３ａに添設したワックス１２は、部分義歯１００のシリコンゴム１０６に関連するものである。
【００３９】
図１４〜図１５をも参照して、作業模型を作る際に、0.05mm、0.07mmなど肉厚の異なる複数種類の薄いフィルム２を用意しておき、適当な厚さの薄いフィルム２を選択して、選択したフィルム２を本模型１の上に載せて（図１４（イ））、これを密閉容器内で真空し引きすることにより密着させる（図１２のステップＳ１３：図１４の（ロ））。次いで、シリコンなどの印象材３を使って転写し（図１４の（ハ））、そして、この印象材３に石膏４（図１５の（ニ））などを流し込んで作業模型５を作る（図１２のステップＳ１４）。
【００４０】
このように、作業模型５を作る際に、所定の肉厚のフィルム２を使うことで、義歯製造工程で部材の収縮変形を見越した作業模型を作ることができ、これにより部材の収縮などを気にしないで作業を進めることができる。つまり、フィルム２は、義歯製造工程で発生する部材の収縮を補償することのできるツールと言える。換言すれば、技工士は、部材（印象材やレジン）が固まるときの体積の収縮による影響を見越して作業するのが大事とされ、一種の職人技が必要とされたが、実施例のように、単にフィルム２を使うだけで、この職人技を不要とすることができる。
【００４１】
図１２のステップＳ１５〜Ｓ１９は義歯粘膜床を成形する工程である。この義歯粘膜床は、薄肉の熱可塑性樹脂プレート１０（図１４の（ヘ））から作られ、そして、この熱可塑性樹脂プレート１０は完成品の義歯の粘膜面を構成するものである。熱可塑性樹脂プレート１０は平面視したときに例えば円形であり、顎模型つまり作業模型５を覆うことのできる直径を備えている。熱可塑性樹脂プレート１０は、例えば肉厚1.5mm、2.0mm、2.5mmの三種類が用意され、その中から、部分義歯の適用箇所などを考慮して適当な厚みの樹脂プレート１０を選択できるようにするのが好ましい。ここに、熱可塑性樹脂プレート１０は実施例ではポリカーボネートからなるが、他の合成樹脂であってもよい。また、熱可塑性樹脂プレート１０として、複数の種類の異なる熱可塑性樹脂を積層したものであってもよい。例えば、折れ難い、比較的硬くないなど特性の異なる樹脂を積層して熱可塑性樹脂プレート１０を構成してもよい。
【００４２】
熱可塑性樹脂プレート１０は加熱により柔軟な状態にした後に、顎模型つまり作業模型５の上に載置される（ステップＳ１５：図１４の（へ））。次いで、軟化した樹脂プレート１０を載置した作業模型５は、その上に、作業模型５を成形する際に使用した成形型つまり作業模型５の形状面と一致する面を備えた型を載せた状態で油圧プレス機にセットして一気にプレス処理される（ステップＳ１６、Ｓ１７）。これにより、樹脂プレート１０は、作業模型５の形状面と相補的な形状に成形される。図１３を参照して前述した、本模型１の維持歯６のアンダーカット部分にワックス７を盛った場合には、当該ワックス７を盛った部分に関して、ワックス７の外形に沿った輪郭形状（シリコンゴム１０６を付着するための空所）を、成形後の樹脂プレート１０が備えることになる。
【００４３】
樹脂プレート１０の成形が終わると、技工士が決めた義歯の基本形状の輪郭に沿って成形後の樹脂プレート１０をカットして義歯の土台をなす義歯粘膜床１１を作り（ステップＳ１８）、この義歯粘膜床１１を作業模型５から取り外す（ステップＳ１９）。図９などを参照して前述した部分義歯１００であれば、樹脂製の外側延長部分１０４Ａが義歯粘膜床１１に含まれ、この外側延長部分１０４Ａに維持歯１０３の高さ方向に延びる縦延長部１０８が含まれる（図８）。この図１６は、内側延長部分１０４Ｂを金属で作る場合を図示しており、内側延長部分１０４Ｂを樹脂で作る場合を図１６に仮想線で示すように、この内側延長部分１０４Ｂに維持歯１０３の高さ方向に延びる縦延長部１０６が形成される。
【００４４】
この義歯粘膜床１１は、必要に応じて又は歯科医からの要請により患者に試適して、その適否の確認が行われる。その後の工程を歯科医院で行ってもよく、その場合には、ステップＳ１９で作業模型５から取り外した義歯粘膜床１１は歯科医に委ねられる。
【００４５】
ステップＳ２０、Ｓ２１は、義歯粘膜床１１を基礎にワックス義歯を作る工程である。先ず、ステップＳ２０で義歯粘膜床１１の上にワックスを盛り付けてロウ堤を作り、次いでロウ堤の高さを調整した後に人工歯を植設してワックス義歯を作る（ステップＳ２１）。
【００４６】
なお、図９などを参照して説明した部分義歯１００を製造する場合には、金属製の舌側延長部分１０４Ｂは、図１２を参照して説明した作業工程とは別の工程で、金属部材で舌側延長部分１０４Ｂを成形し、図１６に示すように、ワックス義歯を作る前に、義歯粘膜床１１に金属製の舌側延長部分１０４Ｂを組み込む。
【００４７】
上記ステップＳ２１で作ったワックス義歯は必要に応じて患者に試適して微調整を行った後に、図１８に示すように、ワックス義歯２０をフラスコ２１に入れて上下の分割型２２、２３を作る(ステップ２２、図１９)。なお、図１８、図１９に示す参照符号２４は人工歯であり、２５はワックスである。
【００４８】
次いでステップＳ２３で分割型２２、２３を加温して義歯粘膜床１１の上に盛ったワックス２５を除去した後に、ステップＳ２４で、ワックス２５を除去することにより形成された空間２７（図２０）、つまり義歯粘膜床１１と人工歯２４との間に形成された空間２７にレジンが充填される（ステップＳ２４）。そして、重合処理によりレジンを硬化させた後に、分割型２１、２２から成型品を取り出す（ステップＳ２５）。
【００４９】
そして、舌側延長部分１０４Ｂ及び／又は外側延長部分１０４Ａにシリコンゴム１０６を設けるために、本模型１の維持歯６のアンダーカット部分６ａにシリコンゴム１０６を盛り、他方、シリコンゴム１０６を添設する部位にシリコンプライマ（図示せず）を塗布した後に、部分義歯１００を本模型１に装着して部分義歯１００からはみ出したシリコンゴム１０６を除去する（ステップＳ２６）。その後、本模型１に装着した部分義歯１００の周りをフィルムで覆い、このフィルムで覆った本模型１及び部分義歯１００をエア加圧機にセットしてガス圧によって加圧処理する（ステップＳ２７）。これにより、舌側延長部分１０４Ｂ及び／又は外側延長部分１０４Ａにシリコンゴム１０６が強固に接合し且つシリコンゴム１０６が維持歯６のアンダーカット部分６ａと相補的な形状に加圧成形される。そして、これにより、舌側延長部分１０４Ｂ及び／又は外側延長部分１０４Ａに、アンダーカット部分６ａと係合する弾性体（シリコンゴム）１０６を備えた部分義歯１００が完成する。
【００５０】
なお、舌側及び／又は外側延長部分１０４Ａ、１０４Ｂに、維持歯１０３のアンダーカット部分１０３ａと係合するシリコンゴム１０６を添設する方法としては、上述の方法に限定されず、例えば延長部分１０４Ａ及び／又は１０４Ｂを形成し、シリコンゴム１０６を添設する部分を削ってシリコンゴム１０６を添設する空所を作り、次いで、シリコンゴム１０６を接着するようにしてもよい。
【００５１】
上述した義歯製造方法によれば、ワックス義歯の粘膜面を構成する義歯粘膜床１１をそのまま使って義歯を作るため、換言すれば、義歯の義歯床がワックス義歯の義歯粘膜床１１で構成されるため、義歯製造工程での様々な作業や樹脂の収縮などの影響を受けることの無く、患者の口腔に最適に適合した義歯を作ることができる。したがって、技工士にとって、義歯製造工程で行う様々な作業によって発生する誤差やレジンの収縮によって発生する誤差を念頭に入れた熟練した技巧を使うまでもなく患者の口腔に最適に適合した義歯を作ることができる。したがって、技工士の注意を他に振り向けることができ、より適切な義歯を作ることができる。
【００５２】
上述したように、部分義歯１００の外側延長部分１０４Ａを樹脂で作ることで患者の歯茎１０５の色に一致した色の外側延長部分１０４Ａにし易いため審美上も好ましく、その一方で舌側延長部分１０４Ｂを金属で作ることで耐久性に優れた適度な撓み変形特性を備えることができる。
【図面の簡単な説明】
【００５３】
【図１】本発明の有床部分義歯の概要を説明するための、有床部分義歯を装着した状態の正面図である。
【図２】図１に関連して、有床部分義歯を装着した状態の背面図である。
【図３】図１のIII−III線に沿った断面図である。
【図４】図１のIV−IV線に沿った断面図である。
【図５】図４の矢印Ｖで示す部位の拡大部分断面図である。
【図６】具体例として下顎の奥歯３本に代わる有床部分義歯の具体例を上方から見た図である。
【図７】図６に関連して、有床部分義歯を舌側から見た図である。
【図８】図６に関連して、有床部分義歯を下方から見た図である。
【図９】他の例の部分義歯の斜視図である。
【図１０】顎模型に図９の部分義歯を装着した状態で示す図である。
【図１１】図１０のXI−XI線に沿った断面図である。
【図１２】実施例の義歯製造工程の流れを説明するためのフロー図である。
【図１３】維持歯のアンダーカット部分と係合する弾性部材を添設した部分義歯を製造する場合の製造工程の一例を説明するための図であり、本模型の維持歯のアンダーカット部分にワックスを盛った状態を示す。
【図１４】図１２で説明する作業工程に関連した図であり、（イ）及び（ロ）は図１２のステップＳ１３に対応し、（ハ）はステップＳ１４に対応している。
【図１５】図１２で説明する作業工程に関連した図であり、（ニ）〜（ホ）は図１２のステップＳ１４に対応し、（ヘ）はステップＳ１５に対応している。
【図１６】作業模型で部分義歯用の義歯粘膜床を形成した状態を説明するための図である。
【図１７】部分義歯において舌側延長部分を金属で作る場合に、作業模型に設置されている義歯粘膜床に金属製の舌側延長部分を設置した状態を示す図である、その後、ワックスを盛ってワックス義歯が作られる。
【図１８】フラスコ内でワックス義歯から分割型を作る工程に関連した図であり、図１２のステップＳ２２に対応している。
【図１９】図１２のステップＳ２２において、ワックス義歯で分割型を作る状態を断面して説明する図である。
【図２０】ワックス義歯からワックスを除去する工程（図１２のステップＳ２３）を説明する図である。
【符号の説明】
【００５４】
１、１００    有床部分義歯
２    人工歯
３    義歯床
３ａ  義歯床の本体部分
３ｂ  義歯床の横延長部分
３ｃ  義歯床の縦延長部分
４    残存歯
５    歯肉部分
６    弾性部材（シリコンゴム）
１０    具体例の有床部分義歯
１１〜１３  人工歯
１４    義歯床
１４ａ  義歯床の本体部分（人工歯を支える部分）
１５    義歯床の外側横延長部分
１５ａ  義歯床の外側縦延長部分
１６    義歯床の舌側横延長部分
１６ａ  義歯床の舌側縦延長部分
１７    義歯床に付設した弾性部材（シリコンゴム）
【図１】
2007289645.tif 000003
【図２】
2007289645.tif 000004
【図３】
2007289645.tif 000005
【図４】
2007289645.tif 000006
【図５】
2007289645.tif 000007
【図６】
2007289645.tif 000008
【図７】
2007289645.tif 000009
【図８】
2007289645.tif 000010
【図９】
2007289645.tif 000011
【図１０】
2007289645.tif 000012
【図１１】
2007289645.tif 000013
【図１２】
2007289645.tif 000014
【図１３】
2007289645.tif 000015
【図１４】
2007289645.tif 000016
【図１５】
2007289645.tif 000017
【図１６】
2007289645.tif 000018
【図１７】
2007289645.tif 000019
【図１８】
2007289645.tif 000020
【図１９】
2007289645.tif 000021
【図２０】
2007289645.tif 000022